(57)【要約】【課題】ヘッドマウントディスプレイ装置の使用、収納及び持ち運びを容易にする。【解決手段】後頭部に装着されるリアアーム１と、リアアーム１の両端部に設けられ、左右の耳に装着される２つの耳あて部２，３と、リアアーム１の一端部に設けられたフロントアーム５と、フロントアーム５に設けられ、目の前方に配置される表示装置４とを備えているヘッドマウントディスプレイ装置において、リアアーム１を、第１のアーム構成部１ａと、第１のアーム構成部１ａよりも長い第２のアーム構成部１ｂと、これらのアーム構成部１ａ，１ｂを折り曲げ可能に連結する連結部１ｃとで構成した。【選択図】      図１
2004236128.tif 000002
【特許請求の範囲】
【請求項１】
後頭部に装着されるリアアームと、
このリアアームの両端部に設けられ、左右の耳近傍に装着される２つのサイド部と、
前記リアアームの一端部に設けられたフロントアームと、
このフロントアームに設けられ、リアアーム装着時に目の前方に配置される表示手段と
を備えているヘッドマウントディスプレイ装置において、
前記リアアームは、第１のアーム構成部と、この第１のアーム構成部よりも長い第２のアーム構成部と、これらのアーム構成部を折り曲げ可能に連結する連結部とを有している
ことを特徴とするヘッドマウントディスプレイ装置。
【請求項２】
前記連結部に設けられ、前記両アーム構成部が互いに接近するように付勢力を与える弾性体を備えていることを特徴とする請求項１記載のヘッドマウントディスプレイ装置。
【請求項３】
前記弾性体がばねであることを特徴とする請求項２記載のヘッドマウントディスプレイ装置。
【請求項４】
前記第２のアーム構成部に前記フロントアームを収容する収容部が設けられていることを特徴とする請求項１、２又は３記載のヘッドマウントディスプレイ装置。
【請求項５】
前記収容部が前記フロントアームよりも長いことを特徴とする請求項４記載のヘッドマウントディスプレイ装置。
【発明の詳細な説明】
【０００１】
【発明の属する技術分野】
この発明は頭部に装着されて使用されるヘッドマウントディスプレイ装置に関する。
【０００２】
【従来の技術】
従来のヘッドマウントディスプレイ装置として、表示ユニットとこの表示ユニットを保持するホルダとを備えているものがある。
【０００３】
ホルダは、左右の耳に装着可能な２つのサイドフレームと、後頭部に沿う１つのリアフレームとを有している。
【０００４】
各サイドフレームの一端には耳に引っ掛ける当たり部が設けられている。当たり部には表示ユニットを保持する保持機構が設けられている。
【０００５】
一方のサイドフレームの他端はリアフレームの一端にヒンジを介して連結され、他方のサイドフレームの他端はリアフレームの他端にヒンジを介して連結されている。したがって、各サイドフレームをリアフレームに重ねるように折り畳むことができる。
【０００６】
ヘッドマウントディスプレイ装置を使用するとき、まず各サイドフレームを展開し、その後いずれか一方のサイドフレームの当たり部に表示ユニットを装着する。表示ユニットは当たり部の保持機構によって保持される。
【０００７】
次に、リアフレームを後頭部に当てるようにして左右の耳に両方のサイドフレームの当たり部を引っ掛ける。
【０００８】
このようにしてヘッドマウントディスプレイ装置を頭部に装着したとき、表示ユニットが片方の目の前方に配置され、使用者は画像を見ることができる。
【０００９】
また、ヘッドマウントディスプレイ装置を収納するとき、ホルダを折り畳むことによって収納容積（収納に必要な空間容積）を小さくすることができるので便利である。
【００１０】
【特許文献１】
特開２０００−２２４５１号公報
【００１１】
【発明が解決しようとする課題】
ところが、上述のヘッドマウントディスプレイ装置には、収納、持ち運びの度に、表示ユニットをホルダから取り外し、更に両方のサイドフレームを一定の順序でリアフレームに重ねるようにしてホルダを３つに折り畳まなければならず、不便であるという問題がある。
【００１２】
また、ヘッドマウントディスプレイ装置を収納状態から使用状態にする度に、一方のサイドフレームの当たり部に表示ユニットを装着しなければならず、不便であった。
【００１３】
この発明はこのような事情に鑑みてなされたもので、その課題はヘッドマウントディスプレイ装置の使用、収納及び持ち運びを容易にすることである。
【００１４】
【課題を解決するための手段】
上述の課題を解決するため請求項１記載の発明は、後頭部に装着されるリアアームと、このリアアームの両端部に設けられ、左右の耳近傍に装着される２つのサイド部と、前記リアアームの一端部に設けられたフロントアームと、このフロントアームに設けられ、リアアーム装着時に目の前方に配置される表示手段とを備えているヘッドマウントディスプレイ装置において、前記リアアームは、第１のアーム構成部と、この第１のアーム構成部よりも長い第２のアーム構成部と、これらのアーム構成部を折り曲げ可能に連結する連結部とを有していることを特徴とする。
【００１５】
請求項２記載の発明は、請求項１記載の発明のヘッドマウントディスプレイ装置において、前記連結部に設けられ、前記両アーム構成部が互いに接近するように付勢力を与える弾性体を備えていることを特徴とする。
【００１６】
請求項３記載の発明は、請求項２記載の発明のヘッドマウントディスプレイ装置において、前記弾性体がばねであることを特徴とする。
【００１７】
請求項４記載の発明は、請求項１、２又は３記載の発明のヘッドマウントディスプレイ装置において、前記第２のアーム構成部に前記フロントアームを収容する収容部が設けられていることを特徴とする。
【００１８】
請求項５記載の発明は、請求項４記載の発明のヘッドマウントディスプレイ装置において、前記収容部が前記フロントアームよりも長いことを特徴とする。
【００１９】
【発明の実施の形態】
以下この発明の実施の形態を図面に基づいて説明する。
【００２０】
図１〜図４はこの発明の一実施形態に係るヘッドマウントディスプレイ装置を示し、図１はヘッドマウントディスプレイ装置の使用状態を示す斜視図、図２はリアアームの連結部を示す拡大平面図、図３はフロントアームをリアアームの収容部に収容した状態を示す斜視図、図４はヘッドマウントディスプレイ装置の収納状態を示す斜視図である。
【００２１】
このヘッドマウントディスプレイ装置は、後頭部に装着されるほぼ円弧状のリアアーム１と、左右の耳に装着される２つのほぼ円板状の耳あて部（サイド部）２，３と、片方の目の前方に配置される表示装置（表示手段）４と、表示装置４を支持するほぼ円弧状のフロントアーム５とを備えている。
【００２２】
耳あて部２はリアアームの一端部にスライドベルト２ａを介して設けられ、耳あて部３はリアアームの他端部に耳あて部２と同様に設けられている。
【００２３】
フロントアーム５はリアアーム１の一端部に支持される。フロントアーム５はリアアーム１に対して相対移動可能に連結されており、両者を分離することを想定していない。
【００２４】
リアアーム１は、第１のアーム構成部１ａと、第２のアーム構成部１ｂと、これらのアーム構成部１ａ，１ｂを折り曲げ可能に連結する連結部１ｃとを有している。第２のアーム構成部１ｂは第１のアーム構成部１ａよりも長い。すなわち、連結部１ｃはリアアーム１の中間部Ｃから耳あて部３側へずれた位置にある。
【００２５】
第２のアーム構成部１ｂにはフロントアーム５を収容する収容部６が設けられている。収容部６は円弧状の第２のアーム構成部１ｂの一端から他端へ延びる空間である。フロントアーム５を収容部６に収容したり、収容部６から引き出したりすることができる。
【００２６】
連結部１ｃは、第２のアーム構成部１ｂの他端に形成された切欠き部１ｃ−１と、第１のアーム構成部１ａの他端に形成された突起部１ｃ−２と、第２のアーム構成部１ｂの他端に固定されたピン１ｃ−３とを有する。突起部１ｃ−２は切欠き部１ｃ−１に嵌合している。切欠き部１ｃ−１に嵌合している突起部１ｃ−２をピン１ｃ−３が貫いている。
【００２７】
連結部１ｃにはねじりばね（ばね）７が設けられている。ねじりばね７の一端は第１のアーム構成部１ａの他端に固定され、ねじりばね７の他端は第２のアーム構成部１ｂの他端に固定されている。図２に示すように、両アーム構成部１ａ，１ｂが互いに接近するようにねじりばね７のばね力が作用する。
【００２８】
この実施形態のヘッドマウントディスプレイ装置を使用するには、まず、両アーム構成部１ａ，１ｂをねじりばね７のばね力に抗して広げ、耳あて部２，３を左右の耳に被せる。手を離すと、ねじりばね７のばね力によって耳あて部２，３が左右の耳に押し当てられるので、ヘッドマウントディスプレイ装置は使用者８の頭部に固定される。
【００２９】
その後、指で表示装置４を引っ張り、フロントアーム５を第２のアーム構成部１ｂの収容部６から引き出す。図１はフロントアーム５の全部が引き出された状態を示す。この状態では使用者８の片方の目の前方に表示装置４が配置され、使用者８は画像を見ることができる。
【００３０】
これに対し、ヘッドマウントディスプレイ装置を収納するには、まず、指で表示装置４を押し、フロントアーム５を第２のアーム構成部１ｂの収容部６へ収容する（図３参照）。
【００３１】
その後、両アーム構成部１ａ，１ｂをねじりばね７のばね力に抗して広げて耳あて部２，３を左右の耳から離し、そのまま使用者８の後頭部の後方へ引き、一方の耳あて部２（又は耳あて部３）から手を離す。
【００３２】
手を離すと、ねじりばね７のばね力によって両アーム構成部１ａ，１ｂが互いに接近し、リアアーム１は２つに折り畳まれる（図４参照）。アーム構成部１ａ，１ｂの長さが異なるので、アーム構成部１ａ，１ｂを折り畳んだとき、耳あて部２，３が互いに干渉せず、耳あて部３がアーム構成部１ｂの内側面に接触する。
【００３３】
この実施形態によれば、フロントアーム５はリアアーム１の一端部に分離できないように支持されているとともに、リアアーム１を第１のアーム構成部１ａとこの第１のアーム構成部１ａよりも長い第２のアーム構成部１ｂとこれらのアーム構成部１ａ，１ｂを折り曲げ可能に連結する連結部１ｃとで構成したので、収納、持ち運びの度に、表示装置４及びフロントアーム５をリアアーム１から取り外し、リアアーム１を一定の手順に従って３つに折り畳む必要もなくなる。その結果、ヘッドマウントディスプレイ装置を容易に折り畳んで収納、持ち運びをすることができる。なお、アーム構成部１ａ，１ｂの長さが異なるので、アーム構成部１ａ，１ｂの長さが同じであるときに較べ、リアアーム１を２つに折り曲げたときの収納容積を小さくすることができる。
【００３４】
また、連結部１ｃにねじりばね７を設けたので、ヘッドマウントディスプレイ装置を使用するときに、ねじりばね７のばね力によって耳あて部２，３が左右の耳に押し当てられ、リアアーム１を使用者８の頭部に固定させることができるとともに、ヘッドマウントディスプレイ装置を収納するときに、ねじりばね７のばね力によって両アーム構成部１ａ，１ｂが互いに接近し、リアアーム１が２つに折り畳まれる。
【００３５】
更に、第２のアーム構成部１ｂにフロントアーム５を収容する収容部６が設けられているので、ヘッドマウントディスプレイ装置の使用、収納及び持ち運びの度に、表示装置４及びフロントアーム５をリアアーム１に取り付けたり、取り外したりする必要がなくなるとともに、ヘッドマウントディスプレイ装置全体としての収納容積も小さくなり、収納及び持ち運びが一層便利になる。収容部６はフロントアーム５よりも長いので、フロントアーム５全体が収容部６に収容され、収納容積は最小になる。
【００３６】
なお、この実施形態では、サイド部が耳あて部２，３であるが、サイド部はこれに限定されず、音声出力機能を持つもの例えばスピーカ部であってもよく、またレシーバ機能を持つ受信部であってもよい。
【００３７】
【発明の効果】
以上に説明したようにこの発明によれば、ヘッドマウントディスプレイ装置の使用、収納及び持ち運びを容易にすることができる。
【図面の簡単な説明】
【図１】図１はこの発明の一実施形態に係るヘッドマウントディスプレイ装置の使用状態を示す斜視図である。
【図２】図２はリアアームの連結部を示す拡大平面図である。
【図３】図３はフロントアームをリアアームの収容部に収容した状態を示す斜視図である。
【図４】図４はヘッドマウントディスプレイ装置の収納状態を示す斜視図である。
【符号の説明】
１  リアアーム
１ａ  第１のアーム構成部
１ｂ  第２のアーム構成部
１ｃ  連結部
２，３  耳あて部（サイド部）
４  表示装置（表示手段）
５  フロントアーム
６  収容部
７  ねじりばね（ばね）
【図１】
2004236128.tif 000003
【図２】
2004236128.tif 000004
【図３】
2004236128.tif 000005
【図４】
2004236128.tif 000006